(57)【要約】【課題】家庭内の食品などの在庫管理をより簡便に行うため、スーパーマーケットなどでの商品購入情報をＳＤメモリーカードに保存すること、およびＳＤメモリーカードに保存したデータを家庭にある専用端末装置で定型のフォーマットに書き換えるとともに、簡単な操作で書き加えや削除すること。【解決手段】ＳＤメモリーカード情報処理装置１とその他購入品情報処理装置３と在庫管理削除処理装置４を備え、簡単な操作で在庫情報をすることにより、食品などの在庫状態を簡便に知ることができるものである。【選択図】  図１
2004185385.tif 000002
【特許請求の範囲】
【請求項１】
ポスターミナルなどに備えられた、ＳＤメモリーカードに購入品情報を書き込む書き込み手段と、ＳＤメモリーカードに書き込まれた購入品情報を読み取る読み取り手段と、読み取ったカード情報を在庫管理形式に処理するカード情報処理手段と、処理した情報を既存の在庫管理情報に更新する在庫管理更新手段と、更新した在庫管理情報を記憶する在庫情報記憶手段と、更新した在庫管理情報を一定のフォーマットに表示する表示手段を備えてなる食品等在庫管理装置。
【請求項２】
ＳＤメモリーカードに書き込まれた購入品以外の食品などの在庫管理に必要な情報を入力するその他購入品情報入力手段と、入力された情報を在庫管理形式に処理するその他購入品情報処理手段と、処理した情報を既存の在庫情報に更新するその他購入品情報更新手段を備えてなる請求項１に記載の食品等在庫管理装置。
【請求項３】
在庫情報から消費した品の情報を削除する在庫情報削除手段と、削除した情報を既存の在庫情報に更新する在庫情報削除更新手段を備えてなる請求項１または２に記載の食品等在庫管理装置。
【請求項４】
在庫期間をカウントするための時計手段を備えてなる請求項１〜３のいずれか１項に記載の食品等在庫管理装置。
【請求項５】
請求項１〜４のいずれか１項記載の食品等在庫管理装置の一部または全てをコンピュータに実現させるプログラム。
【発明の詳細な説明】
【０００１】
【発明の属する技術分野】
本発明は、家庭内での食品などの在庫管理を目的とし、購入店のポスターミナルと連動し、ＳＤメモリーカードに書き込んだ購入品情報（レシート上の情報）を家庭にある専用端末装置で読み取ることにより、入力手間を省き、食品に留まらず幅広い購入品の在庫管理を簡便に行うことができるものである。
【０００２】
【従来の技術】
従来、この種の装置としては、「冷凍冷蔵庫の食品在庫管理装置」などがある（特許文献１参照）。図５は、その構成を示すもので、食品画像処理手段１により食品のみの画像を取りこみ、所定時間内に冷凍冷蔵庫の扉が開閉されると入庫指示手段１５は食品がその扉の室に入庫されたと判定して入庫を指示し、その指示で時計手段３２により入庫時点からの経過時間を在庫時間として関さんを開始する。また、在庫情報記憶手段２１は、室名と食品画像と在庫期間とを食品情報として記憶する。また、出庫指示手段１８は扉の開閉を検出したのちの所定時間内に食品の画像が取り込まれると、出庫食品選択手段２４により画像の特徴に基づいて前記食品情報中に出庫食品を選択できた場合、その食品が出庫されたと判定して在庫情報消去手段２９により在庫情報記憶手段２１からその食品の情報を消去する。また、前記食品情報を食品情報表示手段２２により表示するものである。
【０００３】
【特許文献１】
特開平１０−９７５３号公報
【０００４】
【発明が解決しようとする課題】
食品などの在庫管理に対する消費者ニーズは高く、管理したい在庫品も多様化している。例えば、子供のいる家庭では毎日欠かさず必要な牛乳やジュースなどの飲み物類が管理したい対象であるし、冷凍冷蔵庫内のものに限らずつい忘れてしまう長期常温保存可能な食品などを管理したい人もいる。また、食品だけではなく洗剤や常備薬なども管理しておきたいのものの対象である。
【０００５】
消費者が在庫管理したい背景には、▲１▼買い忘れ防止、▲２▼二重買いの防止、▲３▼（食品では）在庫食品でどんな料理メニューが作れるかを考えたり、使い忘れ（消費期限切れ）の防止があると考えられる。
【０００６】
このようなニーズの本質を知り、それを解決するための在庫管理の方法が求められると考える。
【０００７】
また、在庫管理は日常的に必要であり、煩雑で時間のかかる管理方法では継続しないことも考えなくてはならない。
【０００８】
しかし、前記従来方法では、冷凍冷蔵庫内の食品の管理に限られていることや入出庫操作上での生活シーンとのミスマッチが想定される。
【０００９】
本発明は、前記従来の課題を解決し、消費者ニーズに応えるもので、家庭における食品などの在庫管理のために購入店でＳＤメモリーカードに書き込んだ商品購入情報（レシート上の情報）を家庭にある専用端末装置で読み取り、定型フォーマットに表示させることにより、食品などの在庫状態を簡便に知ることができるものである。
【００１０】
【課題を解決するための手段】
前記従来の課題を解決するために、本発明の食品等在庫管理装置は、スーパーマーケットなどでの支払い時にポスターミナルと繋ぎ連動する、あるいは内臓したＳＤメモリーカード書き込み装置に消費者が持参したＳＤメモリーカードを挿入し、商品購入情報を書き込み、家庭にある専用端末装置で読み取り、定型の管理フォーマットに表示させることにより、食品などの在庫状態を簡便に知ることができるものである。
【００１１】
【発明の実施の形態】
請求項１に記載の発明は、スーパーマーケットなどでの会計時に消費者が持参したＳＤメモリーカードにポスターミナルに内蔵あるいはケーブルで接続し連動するＳＤメモリーカード書き込み手段で購入品情報（レシート上の情報）を書き込み、家庭にある専用機でＳＤメモリーカードに書き込まれた購入品情報を読み取り、読み取ったカード情報を在庫管理形式に処理・表示することにより、簡単な操作でスーパーマーケットなどで購入した食品などの在庫を一括管理でき、合理的な家庭運営を実現することができる。
【００１２】
請求項２に記載の発明は、請求項１においてＳＤメモリーカードに書き込まれた購入品以外の購入品情報を入力できるようにすることにより、ＳＤメモリーカードの使用できない店での購入品の情報を入力することができ、より実際的な管理が可能となる。
【００１３】
請求項３に記載の発明は、請求項１および請求項２において在庫管理した食品などを使用した場合にその品を在庫管理情報から消去するためのもので、さらに実際的な管理が可能となる。
【００１４】
請求項４に記載の発明は、請求項１および請求項２において登録した購入品の在庫期間をカウントし、登録日からの経過日を通知するもので、消費期限の目安となる。
【００１５】
請求項５に記載の発明は、請求項１〜４のいずれか１項記載の食品等在庫管理装置の一部あるいは全てをコンピュータに実現させるプログラムである。そして、プログラムであるので家庭にある汎用コンピュータを用いて本発明の食品等在庫管理装置の一部あるいは全てを容易に実現することができる。
【００１６】
【実施例】
以下本発明の実施例について説明する。
【００１７】
（実施例１）
図１は本発明の実施の形態の全体構成図である。本構成はＳＤメモリーカード情報処理装置１および購入品情報の書き込み媒体としてのＳＤメモリーカード２と、その他の購入品情報処理装置３と、在庫情報削除処理装置４、およびそれらの情報を記憶させる在庫情報記憶手段５と、必要時に随時在庫情報を表示させる在庫情報表示手段６と、在庫期間をカウントするための時計手段７からなる。
【００１８】
図２は、本発明の実施例１におけるＳＤメモリーカード情報処理装置１の構成図である。１１はポスターミナルと接続・連動し、購入品情報をＳＤメモリーカードに書き込むＳＤメモリーカード書き込み手段で、１２はＳＤメモリーカードに書き込まれた購入品情報を読み取るＳＤメモリーカード読み取り手段で、１３は読み取った情報を在庫管理するための形式に書き換え処理するカード情報処理手段である。１４は１３で処理したカード情報を既存の在庫情報に上書き更新するカード情報更新手段である。更新された在庫情報は在庫情報記憶手段４で記憶され、在庫情報表示手段５によって定型のフォーマットで表示される。
【００１９】
以上のような構成の本装置は、消費者がスーパーマーケットなどで商品を購入する際、その会計時に持参したＳＤメモリーカード２をポスターミナルに挿入すると、ポスターミナルに内蔵あるいはケーブルで接続し連動するＳＤメモリーカード書き込み手段１１によって既に入力された消費者の購入品情報（レシート上の情報）のうち、購入日、品名、数量、金額など在庫管理に必要な情報がＳＤメモリーカードに書き込まれる。
【００２０】
消費者は家庭にＳＤメモリーカードを持ち帰り、食品等在庫管理装置にカードを挿入し、ＳＤメモリーカード読み取り手段１２によって書き込まれた購入品情報を読み取らせる。このとき１２は常に新しい情報のみを読み取るために正常に読み取った情報は消去する。
【００２１】
カードから読み取った情報をカード情報処理手段１３によって在庫情報としての形式に変換処理される。品名によって食品類、台所用品、衛生用品などのカテゴリー分類情報、更に、例えば食品類では魚類、肉類、野菜類、果物類、海草類、嗜好品などの詳細分類情報を消費者が閲覧する時の検索情報として付与する。
【００２２】
次にカード情報更新手段１４によって変換処理された新しい在庫情報を既存の在庫情報に付加し、更新する。
【００２３】
更新された在庫情報は在庫情報記憶手段５によって記憶させ、随時、消費者が在庫情報を閲覧しようとした場合に在庫情報表示手段６によって表示させる。表示に当っては、１品毎の表示から前述したカテゴリー別あるいは詳細分類別など、数通りの表示パターンが必要となる。また、在庫品は多品種となることが想定されるため、特に頻繁に使用される在庫品はイラスト化して表示するなど分かり易い表示方法が必要である。また、時計手段７によって在庫品としての登録日から表示要求されるまでの日数をカウントし、管理期間（日数）として表示する。
【００２４】
以上のように、実施例１においてはＳＤメモリーカード情報処理手段を主要構成部とすることによって、ＳＤメモリーカードによる購入品情報を簡単に読み込み、定型フォーマットに表示させることにより、食品などの在庫状態を簡便に知ることができる。
【００２５】
（実施例２）
図３は、本発明の実施例２のその他購入品情報処理装置３の構成図である。
【００２６】
実施例１とはＳＤメモリーカードに書き込まれた購入品以外の食品などの在庫管理に必要な情報を入力するその他購入品情報入力手段３１と、入力された情報を在庫管理仕様に処理するその他購入品情報処理手段３２と、処理した情報を既存の在庫管理情報に更新するその他購入品情報更新手段３３を備えた点が異なり、更新された在庫情報は在庫情報記憶手段５で記憶され、在庫情報表示手段６によって定型のフォーマットで表示される。
【００２７】
上記構成の本装置は、ＳＤメモリーカードが使用できない店での購入品の在庫管理を行うために、在庫管理したい購入品の品名、購入日、数量、価格などの情報をその他購入品情報入力手段３１で入力し、入力された情報はその他購入品情報処理手段３２によって実施例１に記載した１３と同様に在庫管理の形式に処理され、処理した情報はその他購入品情報更新手段３３によって既存の在庫情報に更新される。更新された在庫情報は実施例１に記載したと同様に在庫情報記憶手段５によって記憶させ、随時、消費者が在庫情報を閲覧しようとした場合に在庫情報表示手段６によって表示させることができる。入力時の操作性を良くするために、購入品をイラスト化するなど分かり易い方法が必要である。
【００２８】
以上のように、実施例１に加え、ＳＤメモリーカードによる購入品情報以外の購入品の在庫管理を可能にすることにより、木目細かい在庫管理が行え、消費者の利便性をより高めることができる。
【００２９】
（実施例３）
図４は、本発明の実施例３の在庫情報削除処理装置の構成図である。
【００３０】
実施例２とは使用済みの在庫品情報を削除する在庫情報削除手段４１と、削除した在庫情報を更新する在庫情報削除更新手段４２を備えた点が異なり、更新された在庫情報は在庫情報記憶手段５で記憶され、在庫情報表示手段６によって定型のフォーマットで表示される。
【００３１】
上記構成の本装置は、消費者が在庫管理している食品などを使用した場合に記憶されている在庫品情報から使用済みの在庫品情報を在庫情報削除手段４１で削除し、削除した後の在庫情報を更新する在庫情報更新手段４２により情報更新される。更新された在庫情報は実施例１に記載したと同様に在庫情報記憶手段５によって記憶させ、随時、消費者が在庫情報を閲覧しようとした場合に在庫情報表示手段６によって表示させることができる。
【００３２】
以上のように、実施例１および実施例２に加え、本実施例の使用済みの在庫品を在庫情報から削除することにより、常に最新の在庫情報を保つことができ、消費者の利便性を更に高めることができる。
【００３３】
【発明の効果】
このように、本発明の食品等在庫管理装置によれば、消費者の在庫管理ニーズを簡単な操作で実現でき、合理的な家事運営や家庭経済が可能となる。
【００３４】
さらに、本装置に通信機能を付加し、在庫情報を携帯電話に送信することで、外出途中での買物時に家庭にある在庫状況を確認しながら買物ができ買い忘れや二重買いを防ぐことができる。
【００３５】
また、食品類の在庫情報から料理メニューを検索できるようにすれば、在庫食品で作れる料理メニューとそのレシピ情報を提供することもできる。
【００３６】
さらに、スーパーマーッケットなどの購入店がＳＤメモリーカードへの商品情報の書き込み時に消費者にとっても有益な特売情報などを書き込み、消費者が家庭でその情報を読み取ることができれば、購入店のお客への宣伝効果も期待できる。
【００３７】
なお、以上に説明したような食品等在庫管理装置は汎用のコンピュータを用いて実現することができる。その場合、本発明内容を実行するプログラムであればよいし、そのプログラムを記録媒体に記録したり通信回線を用いて配信したりすることでプログラムの配布やインストール作業が簡単にできる。
【図面の簡単な説明】
【図１】本発明の食品等在庫管理装置の全体構成図
【図２】本発明の実施例１における食品等在庫管理装置のＳＤメモリーカード情報処理装置の構成図
【図３】本発明の実施例２における食品等在庫管理装置のその他購入品情報処理装置の構成図
【図４】本発明の実施例３における食品等在庫管理装置の在庫情報削除処理装置の構成図
【図５】従来の冷凍冷蔵庫の食品在庫管理装置の構成図
【符号の説明】
１  ＳＤメモリーカード情報処理装置
２  ＳＤメモリーカード
３  その他購入品情報処理装置
４  在庫情報削除処理装置
５  在庫情報記憶手段
６  在庫情報表示手段
７  時計手段
１１  ＳＤメモリーカード書き込み手段
１２  ＳＤメモリーカード読み取り手段
１３  カード情報処理手段
１４  カード情報更新手段
３１  その他購入品情報入力手段
３２  その他購入品情報処理手段
３３  その他購入品情報更新手段
４１  在庫情報削除手段
４２  在庫情報更新手段
【図１】
2004185385.tif 000003
【図２】
2004185385.tif 000004
【図３】
2004185385.tif 000005
【図４】
2004185385.tif 000006
【図５】
2004185385.tif 000007